(57)【要約】【解決課題】ある程度湾曲が可能であって、体型にフィットさせることができ、着用感に優れているとともに、隙間が生じることがなく、十分な防護機能を果たすことが可能な防護用補強芯材及びこれを用いた防護用衣料を提供することを課題とする。【解決手段】互いに組み合わせることによって、平面状に隙間なく配列することが可能な補強片と、前記補強片をその片側の面において僅かな移動を許容しつつ互いに結合する部材であって、前記補強片の接合部を隙間なく覆うように、隣接する補強片に跨って配列される結合片とを有し、前記補強片と結合片とを互いに組み合わせることにより、湾曲可能な平面形状に配列されるように構成して課題を解決した。【選択図】　図１
2004003834.tif 000002
【特許請求の範囲】
【請求項１】
互いに組み合わせることによって、平面状に隙間なく配列することが可能な補強片と、
前記補強片をその片側の面において僅かな移動を許容しつつ互いに結合する部材であって、前記補強片の接合部を隙間なく覆うように、隣接する補強片に跨って配列される結合片とを有し、
前記補強片と結合片とを互いに組み合わせることにより、湾曲可能な平面形状に配列されることを特徴とする防護用補強芯材。
【請求項２】
同一形状に形成され、互いに組み合わせることによって、平面状に隙間なく配列することが可能な合成樹脂製の補強片と、
前記補強片をその片側の面において僅かな移動を許容しつつ互いに結合する部材であって、前記補強片の接合部を隙間なく覆うように、隣接する補強片に跨って配列される合成樹脂製の結合片とを有し、
前記補強片と結合片とを互いに組み合わせることにより、湾曲可能な平面形状に配列されることを特徴とする防護用補強芯材。
【請求項３】
前記補強片は、１つの角部が突出するとともに、他の３つの角部が切り欠かれた正方形状に形成されているとともに、前記結合片の角部は、前記補強片の突出した角部の位置で、互いに接合されるように構成したことを特徴とする請求項１又は２記載の防護用補強芯材。
【請求項４】
互いに組み合わせることによって、平面状に隙間なく配列することが可能な補強片と、前記補強片をその片側の面において僅かな移動を許容しつつ互いに結合する部材であって、前記補強片の接合部を隙間なく覆うよう　に、隣接する補強片に跨って配列される結合片とを有し、前記補強片と結合片とを互いに組み合わせることにより、湾曲可能な平面形状に配列される防護用補強芯材と、
前記防護用補強芯材の少なくとも表面を覆う高強度布片を備えたことを特徴とする防護用衣料。
【請求項５】
同一形状に形成され、互いに組み合わせることによって、平面状に隙間なく配列することが可能な合成樹脂製の補強片と、前記補強片をその片側の面において僅かな移動を許容しつつ互いに結合する部材であって、前記補強片の接合部を隙間なく覆うように、隣接する補強片に跨って配列される合成樹脂製の結合片とを有し、前記補強片と結合片とを互いに組み合わせることによ　り、湾曲可能な平面形状に配列される防護用補強芯材と、
前記防護用補強芯材の少なくとも表面を覆う高強度布片を備えたことを特徴とする防護用衣料。
【請求項６】
前記補強片は、１つの角部が突出するとともに、他の３つの角部が切り欠かれた正方形状に形成されているとともに、前記結合片の角部は、前記補強片の突出した角部の位置で、互いに接合されるように構成したことを特徴とする請求項４又は５記載の防護用衣料。
【請求項７】
前記防護用衣料は、前身頃の中央部で２つに分割されているとともに、当該２つに分割された前身頃の合わせ部には、相対的に重なり合う段差部を設け、一方の前身頃の合わせ部には、他方の前身頃との結合位置が胴囲の周方向に沿って調節可能となるように、複数の結合部材を設けたことを特徴とする請求項４乃至６のいずれかに記載の防護用衣料。
【発明の詳細な説明】
【０００１】
【発明の属する技術分野】
この発明は、防刃や防弾用チョッキ等の防護用衣料及びこれに用いられる防護用補強芯材に関し、特に、着用者の体型にフィットして着用感に優れ、しかも防刃や防弾効果の高い防護用補強芯材及びこれを用いた防護用衣料に関するものである。
【０００２】
【特許文献１】特開２００１−１９２２７５号公報
【特許文献２】特開２００１−０５６２００号公報
【特許文献３】特願平１１−２３０６９６号公報
【特許文献４】特開平１１−１０８５９４号公報
【０００３】
【従来の技術】
従来、この種の防刃や防弾用チョッキ等の防護用衣料としては、例えば、特開２００１−１９２２７５号公報、特開２００１−０５６２００号公報、特開平１１−２３０６９６号公報、特開平１１−１０８５９４号公報など、種々のものが既に提案されている。
【０００４】
上記特開２００１−１９２２７５号公報に係るセラミックマトリックスを含む繊維強化複合材料からなる要素は、少なくとも１０重量％の炭化ケイ素を含むセラミックマトリックスを有する繊維強化複合材料からなり、繊維重量に対する炭素繊維および／またはグラファイト繊維の割合が少なくとも５重量％であり、衝撃方向に対して垂直な方向の寸法が少なくとも３ｃｍ、好ましくは少なくとも１０ｃｍ、特に好ましくは少なくとも３０ｃｍの要素を使用するように構成したものである。
【０００５】
また、上記特開２００１−５６２００号公報に係る防弾装置は、枚数が可変のアラミド樹脂あるいは同様の材料からなる複数の帯状膜片で構成された改良型の防弾装置であり、該帯状膜片は、交互に縦横に交差して配置されるように、好ましくは平行に一部がオーバーラップされるように組み合わされて膜体とし、該膜体を重ね合わせるか又は他材料と種々組み合わされるように構成したものであ　る。
【０００６】
さらに、上記特開平１１−２３０６９６号公報に係る身体防護纏い着は、６０重量％以上のチタンを含んで製造された小形の防護体と、身体に装着する形状に形成された少なくとも２枚の高強度布とを使用し、前記高強度布の間に複数の前記防護体を高強度布に沿って並べた状態で固定することにより、特に身体防護を要する領域に防護体を面状に配列するように構成したものである。
【０００７】
また更に、上記特開平１１−１０８５９４号公報に係る防弾チョッキは、高強度繊維を多数積層し、この多数の高強度繊維に合成樹脂接着剤を含浸させて一体とした高強度繊維体と、高強度繊維体の外面又は内面のいずれか一面に付設された複数に分割した比重が軽い高強度金属体とを備えてなるように構成したものである。
【０００８】
【発明が解決しようとする課題】
しかしながら、上記従来技術の場合には、次のような問題点を有している。すなわち、上記記特開２００１−１９２２７５号公報に係るセラミックマトリックスを含む繊維強化複合材料からなる要素の場合には、少なくとも１０重量％の炭化ケイ素を含むセラミックマトリックスを有する繊維強化複合材料からなるものであり、コストが高くなるとともに、繊維強化複合材料からなる要素の衝撃方向に対して垂直な方向の寸法によって、３ｃｍ程度であれば、ある程度湾曲が可能であり、着用感を高めることができるものの、要素間の隙間が多くなり、防護効果が低下する一方、１０ｃｍ乃至３０ｃｍ程度の要素を使用した場合には、湾曲が困難となり、体型にフィットさせることができず、着用感が大幅に低下するという問題点を有している。
【０００９】
また、上記特開２００１−５６２００号公報に係る防弾装置の場合には、枚数が可変のアラミド樹脂あるいは同様の材料からなる複数の帯状膜片で構成された改良型の防弾装置であり、該帯状膜片は、交互に縦横に交差して配置されるように、好ましくは平行に一部がオーバーラップされるように組み合わされて膜体とし、該膜体を重ね合わせるか又は他材料と種々組み合わされるように構成したものであるが、複数の帯状膜片で構成されるため、湾曲が可能であるとともに、隙間が生じることがないものの、補強材として固体材料を使用しないため、複数の帯状膜片が非常に厚くなり、着用感が低下せざるを得ないという問題点を有している。
【００１０】
さらに、上記特開平１１−２３０６９６号公報に係る身体防護纏い着の場合には、６０重量％以上のチタンを含んで製造された小形の防護体を使用しているため、コストが高くならざるを得ないとともに、身体防護を要する領域に防護体を面状に配列しても、ある程度湾曲が可能であり、着用感を高めることができるものの、防護体間の隙間が多くなり、防護効果が低下する一方、防護体間の隙間をなくすため、当該防護体を重ねて配置した場合には、防護体層が厚くなり、着用感が低下するという問題点を有している。
【００１１】
また更に、上記特開平１１−１０８５９４号公報に係る防弾チョッキの場合には、高強度繊維を多数積層し、この多数の高強度繊維に合成樹脂接着剤を含浸させて一体とした高強度繊維体を使用しているため、隙間が生じることがないものの、多数の高強度繊維に合成樹脂接着剤を含浸させて一体とした高強度繊維体　は、湾曲させることができず、着用感が低下せざるを得ないという問題点を有している。
【００１２】
そこで、この発明は、上記従来技術の問題点を解決するためになされたものでり、その目的とするところは、ある程度湾曲が可能であって、体型にフィットさせることができ、着用感に優れているとともに、隙間が生じることがなく、十分な防護機能を果たすことが可能な防護用補強芯材及びこれを用いた防護用衣料を提供することにある。
【００１３】
【課題を解決するための手段】
すなわち、請求項１に記載された発明は、互いに組み合わせることによって、平面状に隙間なく配列することが可能な補強片と、
前記補強片をその片側の面において僅かな移動を許容しつつ互いに結合する部材であって、前記補強片の接合部を隙間なく覆うように、隣接する補強片に跨って配列される結合片とを有し、
前記補強片と結合片とを互いに組み合わせることにより、湾曲可能な平面形状に配列されることを特徴とする防護用補強芯材である。
【００１４】
また、請求項２に記載された発明は、同一形状に形成され、互いに組み合わせることによって、平面状に隙間なく配列することが可能な合成樹脂製の補強片　と、
前記補強片をその片側の面において僅かな移動を許容しつつ互いに結合する部材であって、前記補強片の接合部を隙間なく覆うように、隣接する補強片に跨って配列される合成樹脂製の結合片とを有し、
前記補強片と結合片とを互いに組み合わせることにより、湾曲可能な平面形状に配列されることを特徴とする防護用補強芯材である。
【００１５】
さらに、請求項３に記載された発明は、前記補強片が、１つの角部が突出するとともに、他の３つの角部が切り欠かれた正方形状に形成されているとともに、前記結合片の角部は、前記補強片の突出した角部の位置で、互いに接合されるように構成したことを特徴とする請求項１又は２記載の防護用補強芯材である。
【００１６】
また更に、請求項４に記載された発明は、互いに組み合わせることによって、平面状に隙間なく配列することが可能な補強片と、前記補強片をその片側の面において僅かな移動を許容しつつ互いに結合する部材であって、前記補強片の接合部を隙間なく覆うように、隣接する補強片に跨って配列される結合片とを有し、前記補強片と結合片とを互いに組み合わせることにより、湾曲可能な平面形状に配列される防護用補強芯材と、
前記防護用補強芯材の少なくとも表面を覆う高強度布片を備えたことを特徴とする防護用衣料である。
【００１７】
また、請求項５に記載された発明は、同一形状に形成され、互いに組み合わせることによって、平面状に隙間なく配列することが可能な合成樹脂製の補強片　と、前記補強片をその片側の面において僅かな移動を許容しつつ互いに結合する部材であって、前記補強片の接合部を隙間なく覆うように、隣接する補強片に跨って配列される合成樹脂製の結合片とを有し、前記補強片と結合片とを互いに組み合わせることにより、湾曲可能な平面形状に配列される防護用補強芯材と、
前記防護用補強芯材の少なくとも表面を覆う高強度布片を備えたことを特徴とする防護用衣料である。
【００１８】
このように、上記防護用衣料３０は、例えば、図１２（Ａ）に示すように、防護用補強芯材３１と高強度布片３２とからなる完全防護部３３と、衣料形成部３４とを備えるように構成される。上記高強度布片３２は、図１２（Ｂ）（Ｃ）に示すように、防護用補強芯材３１の表面を覆うように配置される。図１２（Ｄ）は、防護用衣料３０の断面図を示すものである。
【００１９】
さらに、請求項６に記載された発明は、前記補強片が、１つの角部が突出するとともに、他の３つの角部が切り欠かれた正方形状に形成されているとともに、前記結合片の角部は、前記補強片の突出した角部の位置で、互いに接合されるように構成したことを特徴とする請求項４又は５記載の防護用衣料である。
【００２０】
上記防護用衣料を人体体表に設置するには、第１に、ベスト型衣料体であり、第２に、防護用補強芯材をより必要部位に安定的に固定化させる手段が、当該ベスト型衣料体への縫い止めであり、更に第３に、内包部材への防護用補強芯材の接着である。
【００２１】
第１の固定手段となるベスト型衣料体は、図１３（Ｃ）に示すように、当該防護形成素材の二枚構成を最低にし、図１３（Ｂ）に示すように、防護用補強芯材の重量により４枚構成、さらに図１３（Ａ）に示すように６枚構成であっても良い。
【００２２】
なお、上記防護用衣料は、着用を容易とするための防護用補強芯材の間隙は、動きやすい事イコール防護力の低下となることから、可能なら体側側部材にアールを付けることが望ましい。または、各防護用補強芯材が連結し、接する人体側面積を微量に小さくし、人体丸みに適応させることが望ましい。さらに、防護用補強芯材の自重により人体体側部から逃げることの無いようにするためには、極力、図１２（Ｃ）のように、防護用補強芯材をしっかりと、且つ余裕なくサンドしなくては、自重により歪が発生する虞れがあると思われることから、ラテックス系樹脂等によりコーティングすることが望ましい。
【００２３】
また、請求項７に記載された発明は、前記防護用衣料は、前身頃の中央部で２つに分割されているとともに、当該２つに分割された前身頃の合わせ部には、相対的に重なり合う段差部を設け、一方の前身頃の合わせ部には、他方の前身頃との結合位置が胴囲の周方向に沿って調節可能となるように、複数の結合部材を設けたことを特徴とする請求項４乃至６のいずれかに記載の防護用衣料である。
【００２４】
【発明の実施の形態】
以下に、この発明の実施の形態について図面を参照して説明する。
【００２５】
実施の形態１
図１（ａ）（ｂ）はこの発明の実施の形態１に係る防護用衣料としての防弾チョッキの表面側及び裏面側をそれぞれ示す構成図である。
【００２６】
図１において、１は警察官やガードマン等が制服の下などに着用するインナーとしての防護用衣料である防弾チョッキを示すものであり、この防弾チョッキ１は、袖なしのやや丈が長いベスト状に形成されている。上記防弾チョッキ１は、Ｌサイズ、Ｍサイズ、Ｓサイズなどの所望のサイズに合わせて縫製された前身頃２及び後身頃３と、当該前身頃２の内面側に配設され、人体の肩部下方から腹部までを覆う防護用部材４と、前記後身頃３の内面側に配設され、防護用部材４と両側面及び首回りを除いた両肩部において縫着された背当て布５とから構成されている。上記防弾チョッキ１の前身頃２は、左右に分割されており、これら左右の前身頃２ａ、２ｂは、ファスナー６によって開閉可能となっているとともに、左右の前身頃２ａ、２ｂにそれぞれ配設された防護用部材４ａ、４ｂは、左の前身頃２ａの中央部４ａ’、４ｂ’で互いに重なり、ファスナー６の部分に防護用部材４ａ、４ｂの隙間が生じないように構成されている。これら左右の前身頃２ａ、２ｂにそれぞれ配設された防護用部材４ａ、４ｂは、それぞれ前身頃２ａ、２ｂに一体的に縫着されていても勿論よいが、マジックテープ（登録商標）等によって着脱自在に構成してもよい。上記前身頃２及び後身頃３は、任意の素材によって形成可能であるが、防弾チョッキ１としての機能を考慮すると、これら前身頃２及び後身頃３自体も、高強度の繊維で形成するのが望ましい。
【００２７】
上記防護用部材４ａ、４ｂは、図２に示すように、大別して、防護用補強芯材７と、当該防護用補強芯材７の表裏両面を覆う高強度布片を含む複数枚の布片８〜１５とから構成されている。
【００２８】
ところで、上記防護用芯材は、同一形状に形成され、互いに組み合わせることによって、平面状に隙間なく配列することが可能な合成樹脂製の補強片と、前記補強片をその片側の面において僅かな移動を許容しつつ互いに結合する部材であって、前記補強片の接合部を隙間なく覆うように、隣接する補強片に跨って配列される合成樹脂製の結合片とを有し、前記補強片と結合片とを互いに組み合わせることにより、湾曲可能な平面形状に配列されるように構成されている。
【００２９】
すなわち、上記防護用芯材６は、図３（ａ）に示すように、平面略正方形の同一形状に形成された合成樹脂製の補強片１６を多数枚備えており、これらの補強片１６は、互いに組み合わせることによって、図４に示すように、平面状に隙間なく配列することが可能となっている。また、上記補強片１６は、銃弾等が貫通しないように、十分な強度を有する合成樹脂によって形成され、当該合成樹脂材料としては、ポリカーボネートやナイロンなどが用いられる。さらに、上記補強片１６は、その厚さや大きさが任意に設定可能であることは勿論であるが、例えば、図３（ａ）に示すように、例えば、３０ｍｍ×３０ｍｍの略正方形状で厚さが３ｍｍに形成され、３つの角部１６ａ、１６ｂ、１６ｃが４５度に切り欠かれているとともに、残りの１つの角部１６ｄが切り欠かれた角部に対応して斜め４５度に傾斜した正方形状に形成されている。この正方形状に形成された角部１６ｄは、図４に示すように、補強片１６を互いに組み合わせることによって、平面状に隙間なく配列した際に、周囲の３つの補強片１６の角部１６ａ、１６ｂ、１６ｃによって形成される正方形状の隙間１７に、ほぼ隙間なく嵌合される大きさに設定されている。そして、上記補強片１６は、図４に示すように、多数枚の補強片１６を同じ向きに配列することによって、隣接する辺が互いに接触乃至近接するとともに、３つの補強片１６の切り欠かれた角部１６ａ、１６ｂ、１６ｃによって囲まれた部分１７に、正方形状に突出した角部１５ｄを嵌合することにより、平面状に隙間なく配列することが可能となっている。
【００３０】
また、上記補強片１６の裏面側は、その中央部１６ｅが１３．５ｍｍ×１３．５ｍｍの正方形状で厚さが３ｍｍに高く突出しており、次に述べる結合片１９と組み合わせることによって、全体的に厚さが３ｍｍの２倍の６ｍｍの防護用芯材６を構成するようになっている。この補強片１６の裏面側には、図３（ａ）に示すように、正方形状に形成された中央部１６ｅの外周に、結合片１９を係合するためのスナップフィット用の係合突起１８が、２つずつ各辺に沿って設けられている。この補強片１６の各辺に設けられた係合突起１８は、図５に示すように、互いに外側を向くように鉤状に突出した係合部１８ａを有している。なお、上記係合突起１８の高さは、補強片１６の中央部１６ｅの厚さである３ｍｍより低く設定されており、当該係合突起１８に結合片１９を係合した際に、係合突起１８が補強片１６の中央部１６ｅよりも突出しないように設定されている。
【００３１】
一方、上記結合片１９は、図３（ｂ）に示すように、その平面形状が、長方形の長手方向の両端部を、長手方向の両端部１９ａ、１９ｂに位置する頂角が９０度をなす二等辺三角形状に突出させた六角形状に形成されている。この結合片１９は、補強片１６と同様に、銃弾等が貫通しないように、十分な強度を持った合成樹脂によって形成され、当該合成樹脂材料としては、ポリカーボネートやナイロンなどが用いられる。上記結合片１９は、図３（ｂ）に示すように、例えば、長さが２８ｍｍ、幅が１５ｍｍの六角形状で厚さが３ｍｍに形成され、長手方向の両端部１９ａ、１９ｂの斜辺１９ｃ、１９ｄは、それぞれ４５度に傾斜するように構成されている。また、上記結合片１９には、補強片１６を互いに結合するためのスナップフィット用の係合孔２０が、互いに平行に形成された長辺１９ｅに沿って、それぞれ２つずつ設けられている。この結合片１９の長辺１９ｅに沿って２つずつ設けられた係合孔２０は、図６に示すように、補強片１６の係合突起１８を挿通する小さな矩形状に形成されているとともに、当該係合孔２０の長手方向の外側には、係合突起１８の係合部１８ａが係止される薄肉に形成された係止部２０ａが設けられている。また、上記係合孔２０の間隔Ｌ１は、係合突起１８の間隔Ｌ２よりも若干小さく設定されており、当該係合孔２０に係合突起１８を係合する際に、係合突起１８の係合部１８ａがわずかに弾性変形して係合　し、これら結合片１９と補強片１６との結合状態が容易に離脱することがないように構成されている。さらに、上記係合孔２０は、薄肉に形成された係止部２０ａに、補強片１６の係合突起１８の係合部１８ａが係合することによって、結合片１９の長手方向に沿った移動を略阻止しつつ、当該係合孔２０の幅が、係合突起１８の厚さよりも若干広く設定されており、結合片１９の長手方向Ａと直交する方向Ｂに沿って若干移動自在となるように構成されている。
【００３２】
そして、上記補強片１６と結合片１９とからなる補強用芯材６は、図７に示すように、多数枚の補強片１６を同じ向きに配列することによって、隣接する辺が互いに接触するとともに、３つの補強片１６の角部１６ａ、１６ｂ、１６ｃによって囲まれた部分に、正方形状の角部１６ｄが嵌合することにより、多数の補強片１６を平面状に隙間なく配列した状態で、当該補強片１６の裏面側に突出された係合突起１８を介して、隣接する補強片１６を結合片１９によって互いに結合することにより、補強片１６の僅かな移動を許容しつつ、当該補強片１６の接合部を結合片１９によって隙間なく覆うことにより、湾曲可能な平面形状に配列されるように構成されている。また、上記結合片１９の二等辺三角形状に形成された端部１９ａ、１９ｂは、図７に示すように、補強片１６の正方形状に形成された角部１６ｄの位置で合わさるように構成されているので、補強片１６と結合片１９とで構成される補強用芯材６には、その表面に直交する方向の隙間が可能な限り形成されないようになっている。
【００３３】
つまり、上記補強片１６を単に正方形状に形成した場合には、当該補強片１６が合わさる角部と、結合片１９の二等辺三角形状に形成された端部とが合わさる角部とが一致し、当該角部に形成される隙間が、補強用芯材６の表面に直交する方向に貫通してしまい、銃弾等が貫通しやすくなってしまう。これに対して、上記結合片１９の二等辺三角形状に形成された端部１９ａ、１９ｂが、補強片１６の正方形状に形成された角部１６ｄの位置で合わさるように構成することによ　り、当該角部１９ａ、１９ｂに形成される隙間が、補強用芯材６の表面に直交する方向に貫通することがなく、銃弾等が貫通するのを防止可能となっている。
【００３４】
また、上記補強芯材７が湾曲可能な理由は、次の通りである。結合片１９によって互いに結合された補強片１６は、上述したように、当該補強片１６の係合突起１８と、結合片１９の係合孔２０とが係合することによって、結合片１９の長手方向に沿った移動が阻止され、かつ、結合片１９の幅方向に沿った移動が、若干許容されている。そのため、１枚の補強片１６に着目すれば、当該補強片１６の縦方向及び横方向にも若干の移動が許容されることになり、移動が許容される範囲内で一定の曲率半径をもって略球形状に湾曲することが可能となっている。なお、上記補強芯材７は、湾曲しない状態にあっては、当然、平面状に配列されている。また、上記防護用補強芯材７は、互いに結合する補強片１６と結合片１９の数や位置を変更することにより、その大きさが形状を任意に変更することが可能となっている。
【００３５】
なお、上記防護用補強芯材７は、図１４乃至図１６に示すように、その側面を傾斜させて設けるように構成しても良い。
【００３６】
さらに、上記防護用補強芯材７の少なくとも表面には、当該補強芯材７の表面を覆う高強度布片を含む複数枚の布片８〜１５を備えるように構成されている。
【００３７】
この実施の形態では、図１０に示すように、防護用補強芯材７の表面側に、ケプラー（登録商標）等の高強度繊維からなる高強度布片８と、布片９と、ニット材料等からなる厚手の緩衝用の布片１０と、防護用部材４ａ、４ｂの表地を構成する薄手の布片１１とが、積層された状態で配置されている。また、上記防護用補強芯材７の裏面側には、防護用部材４ａ、４ｂの表地を構成する素材と同一素材等からなる薄手の２枚の布片１２、１３と、ニット材料等からなる厚手の緩衝用の布片１４と、防護用部材の表地と同一素材の裏地を構成する薄手の布片１５とが、積層された状態で配置されている。
【００３８】
上記防弾チョッキ１は、図１７に示すように、防護用衣料としての大前提として、全パーツそのものが防護を目的とする物でなくてはならない。よって、現　在、最も繊維体としてこの能力（高強度布片としての機能）に優れたアラミド繊維をベースとするのが望ましい。この防護用衣料の第一層（外衣側）１１の役割は、▲１▼当該衣料としての基本体をなす（衣料としての形態、重量に対する非変形性等）と同時に、▲２▼表地との接触性（すべりがある等）且つその上に当該衣料の外皮的役割（より緻密性と且つ強度）が求められる。その意味で編み地より組織が堅固な織地が良い。上記第１層１１としては、例えば、表着とのすべり、第１防護層で刃物レベルを防護するため、高密度の平織地が用いられる。また、第２層１０は、衝撃吸収を最大の役割とし、極力綿状で侵入体に絡み抵抗を与え且つ衝撃を分散させる厚みが要求される。その意味では、不規則的に編成されたファイバーフィルが適する。上記第２層１０しては、例えば、弾丸の力を吸収、弾丸に絡みやすい綿状又はフェルト地が用いられる。
【００３９】
さらに、第３層９は、第２層の衝撃吸収体の筋肉質的役割を負い、少なくとも刃物による殺傷行為は、この段階で完全に食い止める。第４層８は、更なる防護層としての内肉的役割を負う。そのためには、第１層に準ずる緻密性と皮膚としての強度が求められることから、第１層と同じ織組織を採用することが好まし　い。第５〜第６層１６，１９は、当該発明の最も中心とする最終的弾丸を捕獲する層である。
【００４０】
以後、内面を構成する第７層１２、第８層１３は、第５〜第６層１６，１９により最悪露出する弾丸を止める最終防護層と言えると同時に、当該防護用部材に接する第４層並びに第７層は、当該防護用部材を保持する役割を担うものであ　る。したがって当該防護用部材の重量によって変形しないことが望ましい。
【００４１】
また、第９層１４は、総合的衝撃吸収層であり、弾性を高めるためには、１００％アラミド繊維でなくとも良く、防護用部材が受けた衝撃を吸収する第２層に準ずるファイバーフィルが望ましい。最後に、第１０層１５は、第１層の当該衣料としての基本条件を持つことから、１００％アラミド繊維でなくとも良いが、織組織が好ましい。上記第１０層１５としては、例えば、最終安全層並びに製品としての保形性、高密度の平織地が望ましい。
【００４２】
このように、上記防護用補強芯材７は、図２及び図１０に示すように、高強度布片８と、防護用部材の表地と同一素材の裏地を構成する薄手の布片１２との間に、補強片１６の表面側が、防護用部材４ａ、４ｂの表面側に位置するように挿入されるように配置されている。上記防護用部材４ａ、４ｂを構成する部材のうち、防護用補強芯材７が高強度布片８と布片１２との間に、単に挿入されているが、当該防護用補強芯材７は，合成樹脂製であって軽量であるため、その移動等による着用感の低下は問題とならない。また、上記防護用補強芯材７の外周縁　は、防護用部材４ａ、４ｂの表地と裏地を構成する薄手の布片１１、１５とを互いに縫着して、当該防護用補強芯材７の不本意な移動を防止するように構成しても良いことは勿論である。
【００４３】
なお、上記防護用部材４ａ、４ｂは、防護用補強芯材７を挿入せずに、ケプラー（登録商標）等の高強度繊維からなる高強度布片８と、布片９と、ニット材料等からなる厚手の緩衝用の布片１０と、防護用部材の表地を構成する薄手の布片１１と、防護用部材の表地を構成する素材と同一素材の薄手の２枚の布片１２、１３と、ニット材料等からなる厚手の緩衝用の布片１４と、防護用部材の表地と同一素材の裏地を構成する薄手の布片１５とから構成することにより、防刃用衣料として使用することも可能となっている。
【００４４】
また、上記防弾チョッキ１は、図１１及び図１８に示すように、前身頃２の心臓に対応した位置に、ポケット２１が設けられており、このポケット２１に防護用補強芯材７を挿入することによって、人体の心臓に対応した位置には、防護用補強芯材７を二重に配設し、銃弾等から人体を防護する機能をより一層高めるように構成してもよい。ここで、上記ポケット２１は、人体の心臓に対応した位置を中央部に掛けて広く覆うように設けるのが望ましい。
【００４５】
以上の構成において、この実施の形態に係る防弾チョッキは、次のようにし　て、ある程度湾曲が可能であって、体型にフィットさせることができ、着用感に優れているとともに、隙間が生じることがなく、十分な防護機能を果たすことが可能となっている。
【００４６】
すなわち、この実施の形態に係る防弾チョッキ１は、図１及び図２に示すように、その防護用部材４ａ、４ｂが、防護用補強芯材７と、当該防護用補強芯材７の表裏両面を覆う高強度布片を含む複数枚の布片８〜１５とから構成されてお　り、防護用補強芯材７は、合成樹脂製の補強片１６と結合片１９を互いに組み合わせることによって構成されている。そのため、上記防護用部材４ａ、４ｂは、その厚さを６ｍｍ程度に薄く形成することができるとともに、軽量化が可能となっている。
【００４７】
また、上記防護用部材４ａ、４ｂは、同一形状に形成され、互いに組み合わせることによって、平面状に隙間なく配列することが可能な合成樹脂製の補強片１６と、前記補強片１６をその片側の面において僅かな移動を許容しつつ互いに結合する部材であって、前記補強片１６の接合部を隙間なく覆うように、隣接する補強片１６に跨って配列される合成樹脂製の結合片１９とを有し、前記補強片１６と結合片１９とを互いに組み合わせることにより、湾曲可能な平面形状に配列されているので、当該防護用補強芯材４ａ、４ｂは、補強片１６と結合片１９とから二重に構成されているとともに、補強片１６の接合部に隙間が生じることがなく、銃弾等に対して十分な防護効果を発揮することができる。さらに、上記防護用部材４ａ、４ｂは、湾曲可能となっているので、人体の胸部や脇部に応じて適度に湾曲してフィットするため、着用感に優れたものとなっている。特に、男性以外に女性が着用した場合でも、防護用部材４ａ、４ｂが湾曲可能となっているので、女性のバストなどに応じて湾曲してフィットするため、女性に対しても着用感に優れたものとなっている。
【００４８】
また、上記防弾チョッキ１は、図２に示すように、その防護用部材４ａ、４ｂが、防護用補強芯材７と、当該防護用補強芯材７の表裏両面を覆う高強度布片を含む複数枚の布片８〜１５とから構成されているので、高強度布片によって、刃物などに対して十分な強度を有しているとともに、銃弾等に対して緩衝効果を発揮することができる。
【００４９】
実施の形態２
図１９はこの発明の実施の形態２を示すものであり、前記実施の形態１と同一の部分には同一の符号を付して説明すると、この実施の形態２では、前身頃の合わせ部の防御性を高めるとともに、体型の異なる着用者等へ対応可能とするた　め、調節機能を付加するように構成されている。
【００５０】
すなわち、この実施の形態２に係る防弾チョッキ１は、図１９に示すように、前身頃２ａ及び前身頃２ｂの合わせ部に位置する補強用芯材７のうち、内側に位置する前身頃２ｂの補強用芯材７の合わせ部側の端部が、表面側の補強片１６が縦に一列だけ外されており、段差が形成されるように構成されている。また、上記補強用芯材７の合わせ部に残された裏面側の結合片１９の表面側は、他の部分と同様に、図１０に示すように、ケプラー（登録商標）等の高強度繊維からなる高強度布片８と、布片９と、ニット材料等からなる厚手の緩衝用の布片１０と、防護用部材４ａ、４ｂの表地を構成する薄手の布片１１とが、積層された状態で配置されている。その結果、上記防弾チョッキ１の内側に位置する前身頃２ｂの合わせ側の端部には、合わせ部側が低くなった段差部４０が形成されている。
【００５１】
一方、上記防弾チョッキ１の外側に位置する前身頃２ａは、図１９に示すように、補強用芯材６のうち、内側に位置する補強用芯材７の合わせ部側の端部が、裏面側の結合片１９が縦に一列だけ外されており、段差が形成されるように構成されている。また、上記補強用芯材７の合わせ部に残された表面側の補強片１６の裏面側は、他の部分と同様に、図１１に示すように、防護用部材４ａ、４ｂの表地を構成する素材と同一素材等からなる薄手の２枚の布片１２、１３と、ニット材料等からなる厚手の緩衝用の布片１４と、防護用部材の表地と同一素材の裏地を構成する薄手の布片１５とが、積層された状態で配置されている。その結　果、上記防弾チョッキ１の内側に位置する前身頃２ａの合わせ側の端部には、合わせ部側が高くなった（厚さが薄くなった）段差部４１が形成されている。
【００５２】
さらに、上記防弾チョッキ１の内側に位置する前身頃２ｂの表面側には、図２０に示すように、段差部４０の上段部の端縁に、他方の前身頃２ａと結合するための第１のファスナー４２が、縦方向に沿って縫着されているとともに、当該段差部４０の上段部の端縁から所定の距離だけ離れた外側の位置に、他方の前身頃２ａと結合するための第２のファスナー４３が縦方向に沿って縫着されている。
【００５３】
また、上記防弾チョッキ１の外側に位置する前身頃２ａの表面側には、図１９に示すように、段差部４１の上段部の内側端縁に、他方の前身頃２ｂと結合するためのファスナー４４が、縦方向に沿って縫着されている。なお、図１９中、４５は、ファスナー４４の表面側を覆うように、他方の前身頃２ｂに伸びた被覆片を示している。
【００５４】
以上の構成において、この実施の形態２に係る防弾チョッキ１では、次のようにして、前身頃の合わせ部の防御性を高めるとともに、体型の異なる着用者等へ対応可能とするため、調節機能を付加することが可能となっている。
【００５５】
すなわち、この実施の形態２に係る防弾チョッキ１では、図２０に示すよう　に、当該防弾チョッキ１の全面の開放部が合わせ方式となっており、しかも、胸囲の大きさに対する調節能力を持たせるようになっている。胸囲の小さな着用者が防弾チョッキ１を着用する場合には、図１９（ａ）に示すように、一方の前身頃２ａのファスナー４４と、他方の前身頃２ａの第２のファスナー４３とを結合することにより、胸囲の小さな着用者が防弾チョッキ１を着用する場合であっても、自己の胸囲に適合した状態で、防弾チョッキ１を着用することができ、当該防弾チョッキ１の胸囲が大きすぎて、体との間に隙間が生じ、体を動かした際に防弾チョッキ１がずれてしまい、運動性が低下するのを防止することができる。
【００５６】
しかも、胸囲の小さな着用者が防弾チョッキ１を着用した場合でも、図１９　（ａ）に示すように、前身頃２ａ、２ｂの合わせ部は、一方の前身頃２ａ側の補強用芯材７の補強片１６と結合片１９、及びこれらを被覆する高強度布片８と、布片９と、ニット材料等からなる厚手の緩衝用の布片１０と、防護用部材４ａ、４ｂの表地を構成する薄手の布片１１等、更には、他方の前身頃２ｂ側の補強用芯材６の補強片１６と結合片１９、及びこれらを被覆する高強度布片８と、布片９と、ニット材料等からなる厚手の緩衝用の布片１０と、防護用部材４ａ、４ｂの表地を構成する薄手の布片１１等によって防護されているため、前身頃２ａ、２ｂの合わせ部が刃物や拳銃等の武器によって攻撃された場合であっても、確実に防護することが可能となる。
【００５７】
さらに、上記前身頃２ａ、２ｂの合わせ部には、図１９（ａ）に示すように、それぞれ段差部が設けられており、胸囲の小さな着用者が防弾チョッキ１を着用する場合には、前身頃２ａ、２ｂの段差部４０、４１どうしが重なるため、前身頃２ａ、２ｂそのものを重ねた場合のように、不必要に前身頃２ａ、２ｂの合わせ部の厚さが厚くなることがないため、着用感を損ねることがない。
【００５８】
一方、胸囲の大きな着用者が防弾チョッキ１を着用する場合には、図１９　　（ｂ）に示すように、一方の前身頃２ａのファスナー４４と、他方の前身頃２ｂの第１のファスナー４２とを結合することにより、胸囲の小さな着用者が防弾チョッキ１を着用する場合であっても、自己の胸囲に適合した状態で、防弾チョッキ１を着用することができ、当該防弾チョッキ１の胸囲が小さすぎて、胸や胴部を圧迫し、運動性が低下したり、体に過剰な負担を掛けるのを防止することができる。
【００５９】
しかも、胸囲の大きな着用者が防弾チョッキ１を着用した場合でも、図１９　（ｂ）に示すように、前身頃２ａ、２ｂの合わせ部は、一方の前身頃２ａ側の補強用芯材６の結合片１９、及びこれらを被覆する高強度布片８と、布片９と、ニット材料等からなる厚手の緩衝用の布片１０と、防護用部材４ａ、４ｂの表地を構成する薄手の布片１１等、更には、他方の前身頃２ｂ側の補強用芯材６の補強片１６、及びこれらを被覆する高強度布片８と、布片９と、ニット材料等からなる厚手の緩衝用の布片１０と、防護用部材４ａ、４ｂの表地を構成する薄手の布片１１等によって防護されているため、前身頃２ａ、２ｂの合わせ部が刃物や拳銃等の武器によって攻撃された場合であっても、確実に防護することが可能となる。
【００６０】
さらに、上記前身頃２ａ、２ｂの合わせ部には、図１９（ｂ）に示すように、それぞれ段差部４０、４１が設けられており、胸囲の大きな着用者が防弾チョッキ１を着用する場合には、前身頃２ａ、２ｂの段差部４０、４１どうしが重なるため、前身頃２ａ、２ｂそのものを重ねた場合のように、不必要に前身頃２ａ、２ｂの合わせ部の厚さが厚くなることがないため、着用感を損ねることがない。
【００６１】
その他の構成及び作用は、前記実施の形態１と同様であるので、その説明を省略する。
【００６２】
実施の形態３
図２１はこの発明の実施の形態３を示すものであり、前記実施の形態１と同一の部分には同一の符号を付して説明すると、この実施の形態３では、急所となる心臓部への防御性を一段を高めるように構成されている。
【００６３】
すなわち、この実施の形態３に係る防弾チョッキ１は、図２１に示すように、前身頃２ｂの心臓部に対応する位置と同様に、後身頃３の心臓部に対応する位置に、ポケット５１が設けられており、当該ポケット５１には、防護用補強芯材７を着脱自在に挿入することによって、背面からの防護性をも一段と高めるように構成されている。
【００６４】
このように、人体の心臓に対応した位置には、背面側においても、防護用補強芯材７を二重に配設し、銃弾等から人体を防護する機能をより一層高めるようになっている。
【００６５】
なお、上記防護用補強芯材７は、着脱自在となっており、背面からの攻撃を受ける可能性がない場合には、ポケット５１から取り外して、運動性能を高めることが可能となっている。
【００６６】
その他の構成及び作用は、前記実施の形態１と同様であるので、その説明を省略する。
【００６７】
【発明の効果】
以上述べたように、この発明によれば、ある程度湾曲が可能であって、体型にフィットさせることができ、着用感に優れているとともに、隙間が生じることがなく、十分な防護機能を果たすことが可能な防護用補強芯材及びこれを用いた防護用衣料を提供することができる。
【図面の簡単な説明】
【図１】図１（ａ）（ｂ）はこの発明の実施の形態１に係る防護用衣料としての防弾チョッキの表面側及び裏面側をそれぞれ示す構成図である。
【図２】図２はこの発明の実施の形態１に係る防護用衣料としての防弾チョッキの防護用部材を示す概略断面図である。
【図３】図３（ａ）（ｂ）は補強片と結合片をそれぞれ示す構成図である。
【図４】図４は補強片を隙間なく配列した状態を示す平面図である。
【図５】図５は補強片に設けられる係合突起を示す断面図である。
【図６】図６は結合片に設けられる係合孔を示す断面図である。
【図７】図７は補強片と結合片を隙間なく配列した状態を示す平面図であ　る。
【図８】図８は補強片を示す外観斜視図である。
【図９】図９は結合片を示す外観斜視図である。
【図１０】図１０は防護用部材の断面構成を示す一部破断の斜視図である。
【図１１】図１１はこの発明の実施の形態１に係る防護用衣料としての防弾チョッキの他の例を示す概略断面図である。
【図１２】図１２はこの発明に係る防護用衣料としての防弾チョッキを示す模式図である。
【図１３】図１３はこの発明に係る防護用衣料としての防弾チョッキを示す模式図である。
【図１４】図１４は補強片に設けられる係合突起を示す断面図である。
【図１５】図１５は結合片に設けられる係合孔を示す断面図である。
【図１６】図１６は補強片を配列した状態を示す断面図である。
【図１７】図１７は防護用部材の断面構成を示す一部破断の斜視図である。
【図１８】図１８はこの発明の実施の形態１に係る防護用衣料としての防弾チョッキの他の例を示す概略断面図である。
【図１９】図１９はこの発明の実施の形態２に係る防護用衣料としての防弾チョッキを示す概略断面図である。
【図２０】図２０はこの発明の実施の形態２に係る防護用衣料としての防弾チョッキを示す概略断面図である。
【図２１】図２１はこの発明の実施の形態３に係る防護用衣料としての防弾チョッキを示す概略断面図である。
【符号の説明】
１：防弾チョッキ（防護用衣料）、２：前身頃、３：後身頃、４ａ、４ｂ：防護用部材、７：防護用補強芯材、８〜１５：高強度布片を含む複数枚の布片、１６：補強片、１９：結合片。
【図１】
2004003834.tif 000003
【図２】
2004003834.tif 000004
【図３】
2004003834.tif 000005
【図４】
2004003834.tif 000006
【図５】
2004003834.tif 000007
【図６】
2004003834.tif 000008
【図７】
2004003834.tif 000009
【図８】
2004003834.tif 000010
【図９】
2004003834.tif 000011
【図１０】
2004003834.tif 000012
【図１１】
2004003834.tif 000013
【図１２】
2004003834.tif 000014
【図１３】
2004003834.tif 000015
【図１４】
2004003834.tif 000016
【図１５】
2004003834.tif 000017
【図１６】
2004003834.tif 000018
【図１７】
2004003834.tif 000019
【図１８】
2004003834.tif 000020
【図１９】
2004003834.tif 000021
【図２０】
2004003834.tif 000022
【図２１】
2004003834.tif 000023